(57)【特許請求の範囲】
【請求項１】
デジタルラスタデータから生成され、各々が複数のアナログ信号成分を有する複数のアナログビデオ信号のダイナミックテストを実行する試験装置において、
前記アナログ信号の中の試験すべき１つの信号を選択するアドレス指定手段（１２）と；
選択されたアナログ信号から所望のアナログ信号成分を選択する選択手段（２０）と；
前記アナログビデオ信号をデジタルビデオ信号に変換し、変換されたデジタルビデオ信号からｐビット出力信号（Ｓ７）からなる特性値を出力するＡ／Ｄ変換器（１８）と；
所定の特性値範囲データを記憶するメモリ（２６）と；
前記特性値と前記記憶されている特性値範囲データとを比較して、結果を出力する比較器（２８）と；
前記結果と、前記選択手段により選択されたアナログ信号成分のアドレスとの組合わせを生成する組合わせる手段（３４）と；
前記結果を記憶する記憶手段（３０）と
を具備する試験装置。
【請求項２】
前記アナログビデオ信号は複数のアナログ信号成分から成る請求項１記載の試験装置。
【請求項３】
前記アナログビデオ信号から前記アナログ信号成分の１つを選択する選択手段をさらに具備し、選択されたアナログ信号成分が前記Ａ／Ｄ変換器により前記変換ビデオ信号に変換される請求項２記載の試験装置。
【請求項４】
試験サイクルの間に前記選択手段により前記アナログ信号成分の全てが選択される請求項３記載の試験装置。
【請求項５】
前記アナログ信号の各々の前記アナログ信号成分の各々が前記選択手段により確実に選択されるように保証するサイクリング手段（２２）をさらに具備する請求項２記載の装置。
【請求項６】
デジタルラスタデータからビデオ信号生成器によって生成されたアナログビデオ信号のダイナミックテストを実行する方法において、
試験すべき前記アナログ信号の一つを選択する過程と；
前記選択されたアナログ信号から所望のアナログ信号成分を選択する過程と；
前記アナログビデオ信号を変換デジタルビデオ信号に変換し、その変換デジタルビデオ信号からｐビット出力信号（Ｓ７）からなる特性値を出力する過程と；
所定の特性値範囲データを記憶する過程と；
前記特性値と前記記憶されている特性値範囲データとを比較して、結果を生成する過程と；
前記結果を記憶する過程と
を有する方法。
【請求項７】
前記アナログビデオ信号は複数のアナログ信号成分から成る請求項６記載の方法。
【請求項８】
前記アナログビデオ信号から前記アナログ信号成分の１つを選択する過程をさらに含み、選択されたアナログ信号成分は前記変換ビデオ信号に変換される請求項７記載の方法。
【請求項９】
試験サイクルの間に前記アナログ信号成分の全てが選択される請求項８記載の方法。
【請求項１０】
前記アナログビデオ信号の中の１つを選択する過程をさらに含む請求項６記載の複数のアナログビデオ信号のダイナミックテストを実行する方法。
【発明の詳細な説明】
政府の権利
合衆国政府は、空軍省が認証した契約番号第Ｆ３３６００−８８−Ｇ−５１０７号に従って本発明における権利を有する。
発明の背景
本発明は一般にビデオ表示ジェネレータの出力の試験に関し、特に、カラー型ビデオ表示ジェネレータ又は白黒型ビデオ表示ジェネレータの単一チャネルビデオ出力又は多重チャネルビデオ出力のダイナミックビデオテストに関する。
ビデオ表示ジェネレータは、デジタルラスタデータから生成されるアナログビデオ信号を１つ又は複数のチャネルを介して出力するために使用される。それらのアナログビデオ信号はカラービデオ画像又は白黒（「モノ」）ビデオ画像を生成する。モノ画像は一般に単一のビデオチャネルのモノ信号から生成されるが、カラー画像は一般にそれぞれが別個のビデオチャネルを介するいくつかの明確に異なるカラー信号から生成される。たとえば、標準の赤、緑、青（ＲＧＢ）のカラー画像は赤、緑、青のアナログビデオ信号から生成され、それらのアナログビデオ信号は、それぞれ、ビデオ表示ジェネレータから別個の出力チャネルを介して出力される。ビデオ表示ジェネレータは別のビデオチャネルを介してオーバレイ画像（ビデオ画像の上に「オーバレイ」する）を出力することもある。各チャネルの中で、モノ出力ビデオ信号又はカラー出力ビデオ信号は、「アクティブビデオ」部分と、「ビデオブランク」部分と、「ビデオ同期」部分とを含むいくつかの別個の成分を有しており、それらの成分は当該技術分野では良く知られているので、ここでは詳細な説明を省く。
デジタルラスタデータからアナログビデオ信号を生成するために、ビデオ表示ジェネレータはメモリからデジタルデータを検索して、デジタル信号を生成しなければならない。次に、表示ジェネレータはそのデジタル信号からデジタル／アナログ（Ｄ／Ａ）変換器によってアナログ信号を生成する。その後、アナログ信号を増幅し、ビデオ画像として表示する。
ビデオ画像生成プロセスの間、表示ジェネレータから出力されるアナログビデオ信号に悪影響を及ぼす要因は数多くある。たとえば、Ｄ／Ａ変換器における信号補間はアナログ信号にひずみを導入する。それらのひずみは、その後、信号の増幅中に拡大されてしまう。加えて、異なる信号周波数に対して異なる機能を示すアナログ増幅器はアナログ出力の中にさらにひずみを発生させる。ビデオ表示ジェネレータの素子によって導入される非線形性のために、出力アナログ信号は、それを生成する元になったデジタルデータを完全に正確には表現していない。完全に正確なビデオ画像は期待できないが、多くの場合、表示される画像がデジタルデータのできる限り正確な表現となるように保証することが必要である。
従来の技術の参考文献の中に、カラーグラフィックス表示システムのビデオアナログ自己試験ハードウェアを説明している米国特許第４，７７２，９４８号がある。このハードウェアは、フレームバッファとＣＲＴ表示モニタとの間のシステム素子を試験するためのものである。
発明の概要
本発明は、デジタルラスタデータからビデオ表示ジェネレータにより生成されるアナログビデオ信号のダイナミックビデオテストを提供する。本発明は１つ又は複数の出力ビデオチャネルからのアナログビデオ信号を検索し、それらの信号をそれらを生成する元になったデータとデジタル方式で比較する。試験結果は検索時まで記憶される。
さらに、本発明は、アナログビデオ信号のビデオ成分の各々を別個に試験するビデオ表示ジェネレータのダイナミックビデオ出力に対する試験を提供する。成分ごとの試験結果は検索時まで記憶される。
本発明の１つの面によれば、本発明は、デジタルラスタデータから生成され、各々が複数のアナログ信号成分を有する複数のアナログビデオ信号のダイナミックテストを実行する試験装置であって、アナログ信号の１つを選択するアドレス指定手段と、選択されたアナログ信号から所望のアナログ信号成分を選択する選択手段と、選択されたアナログ信号成分をデジタル信号成分に変換するＡ／Ｄ変換器と、デジタル信号成分から特性値を抽出する抽出手段と、所定の特性値範囲データを記憶するメモリと、特性値を記憶されている特性値範囲データと比較して、結果を生成する比較器と、結果と、選択手段により選択されたアナログ信号成分のアドレスとの組合わせを生成する組合わせ手段と、組合わせ手段により生成される組合わせを記憶する記憶手段とを具備する試験装置から成る。
本発明の別の面においては、本発明は、アナログビデオ信号のダイナミックテストを実行する試験装置であって、アナログビデオ信号を変換ビデオ信号に変換するＡ／Ｄ変換器と、変換ビデオ信号から特性値を抽出する抽出手段と、所定の特性値範囲データを記憶するメモリと、特性値と記憶されている特性値範囲データとを比較して、結果を出力する比較器と、結果を記憶する記憶手段とを具備する試験装置から成る。
本発明のさらに別の面においては、本発明は、複数のアナログビデオ信号のダイナミックテストを実行する試験装置であって、アナログビデオ信号の１つを選択するアドレス指定手段と、アドレス指定手段により選択されたアナログ信号を変換ビデオ信号に変換するＡ／Ｄ変換器と、変換ビデオ信号から特性値を抽出する抽出手段と、所定の特性値範囲データを記憶するメモリと、特性値と記憶されている特性値範囲データとを比較して、結果を出力する比較器と、結果を記憶する記憶手段を具備する試験装置から成る。
別の面によれば、本発明は、アナログビデオ信号のダイナミックテストを実行する方法であって、アナログビデオ信号を変換ビデオ信号に変換する過程と、変換ビデオ信号から特性値を抽出する過程と、所定の特性値範囲データを記憶する過程と、特性値と記憶されている特性値範囲データとを比較して、結果を出力する過程と、結果を記憶する過程とから成る方法に関する。
本発明の別の面においては、本発明は、複数のアナログビデオ信号のダイナミックテストを実行する方法であって、アナログビデオ信号の１つを選択する過程と、選択されたアナログビデオ信号を変換ビデオ信号に変換する過程と、変換ビデオ信号から特性値を抽出する過程と、所定の特性値範囲データを記憶する過程と、特性値と記憶されている特性値範囲データとを比較して、結果を出力する過程と、結果を記憶する過程とから成る方法に関する。
【図面の簡単な説明】
図１は、本発明の好ましい一実施形態の機能ブロック線図である。
図２は、本発明の好ましい一実施形態の概略図である。
図３Ａ及び図３Ｂは、図２の実施形態の試験サイクルにおける状態遷移を示す流れ図である。
好ましい実施形態の説明
添付の図面を参照しながら本発明の好ましい実施形態を詳細に説明する。
図１は、ダイナミックビデオテスト（ＤＶＴ）回路１１０を含むビデオシステムを示す。ビデオ表示ジェネレータ１００は、ビデオ画像１０５を生成するために使用されるアナログビデオ信号Ａ１を出力する。ＤＶＴ回路１１０はアナログビデオ信号Ａ１と、それらの信号が発生される元になったデジタルビデオ信号Ａ２とを受信する。デジタル信号Ａ２は、その後、ＤＶＴ回路１１０によりメモリ１２０から所定の値Ａ３を検索するために使用される。ＤＶＴ回路１１０はアナログビデオ信号Ａ１をメモリからの値Ａ３と比較することにより、状態結果Ａ４を出力する。システムコントローラ１３０の読取りビデオ状態動作の間、状態結果Ａ４はＤＶＴ回路１１０から検索される。システムコントローラ１３０は状態結果Ａ４を使用して、ビデオ表示ジェネレータ１００の出力を調整する制御信号Ａ５を発生する。
図２は、本発明のビルトインダイナミックビデオテスト（ＤＶＴ）の好ましい一実施形態の概略図である。この実施形態においては、ビデオ表示ジェネレータ１００により赤、緑及び青のアナログビデオ信号ＡＳ１、ＡＳ２及びＡＳ３をビデオチャネルＶ1、Ｖ2及びＶ3へ出力する。ビデオ表示ジェネレータ１００の中で、ビデオメモリ１０２からデジタルラスタデータを検索する。必要に応じて、以下にさらに詳細に説明する「ダブルドロー」フィールドプログラマブルゲートアレイ（ＦＰＧＡ）１０４により、オーバレイデータをエンハンスする。次に、ルックアップテーブル（ＬＵＴ）１０６から赤、緑及び青の色値を確定し、ＬＵＴ１０６は赤、青及び緑のデジタルビデオ信号ＤＳ１、ＤＳ２及びＤＳ３を出力する。それらのデジタル信号からデジタル／アナログ（Ｄ／Ａ）変換器１０８Ａ、１０８Ｂ及び１０８Ｃによりアナログ信号を発生し、それらのアナログ信号はアナログ増幅器１１０Ａ、１１０Ｂ及び１１０Ｃにより増幅され、アナログ電流バッファ１１２Ａ、１１２Ｂ及び１１２Ｃによりアナログビデオ信号ＡＳ１、ＡＳ２及びＡＳ３として出力される。
ダブルドローＦＰＧＡ１０４は、対応する信号の発生に先立ってオーバレイデータをエンハンスする装置である。オーバレイ画像は、別の画像の上に重ね合わされる画像である。たとえば、航空機のビデオ表示ジェネレータは下方の地勢の画像の上に飛行経路の画像を重ね合わせることもある。オーバレイ画像は時によっては画素１つ分の幅しかないので、オーバレイ画像を一次画像から区別することは困難であろう。ダブルドローＦＰＧＡ１０４は、画素１つ分の幅しかない領域について、デジタルオーバレイデータを検査することにより、この問題を解決する。そのような領域が発見されたときには、ダブルドロー装置はオーバレイデータ画素にすぐ隣接しているいくつかの画素の中に単一画素オーバレイデータを導入することにより、オーバレイ画像を拡張する。このようにして、ダブルドローＦＰＧＡ１０４はオーバレイ画像の明瞭度を向上させる。
ビルトインテストは、一度に１チャネルずつ、アナログビデオ信号の「アクティブビデオ」成分、「ビデオブランク」成分及び「ビデオ同期」成分が対応するデジタルビデオ信号から事前に確定された基準に従っていることを検査することによって実行される。試験すべきアナログビデオチャネルは、ビデオマルチプレクサ（ｍｕｘ）アドレス発生器１２により選択される。ビデオｍｕｘアドレス発生器１２は、テストプロセスを制御する状態機械１０により発生されるＶＩＤＥＯ  ＭＵＸ  ＡＤＤＲＥＳＳ  ＣＬＯＣＫ信号Ｓ１によって増分される小型カウンタである。ビデオｍｕｘ１４はアドレス発生器１２により発生されるＶＩＤＥＯ  ＭＵＸ  ＡＤＤＲＥＳＳ信号Ｓ２を使用して、適切な出力チャネルＶ1、Ｖ2又はＶ3を選択すると共に、対応するアナログビデオ信号ＡＳ１、ＡＳ２又はＡＳ３を検索する。選択されたアナログビデオ信号は増幅器１６を介してアナログデジタル（Ａ／Ｄ）変換器１８に供給され、Ａ／Ｄ変換器１８が状態機械１０からＣＯＮＶＥＲＴ  ＣＬＯＣＫ信号Ｓ３を受信したとき、Ａ／Ｄ変換器１８においてアナログビデオ信号はｐビットデジタル信号Ｓ７に変換される。アナログビデオ信号がビデオｍｕｘ１４により検索されるのと同時に、ＶＩＤＥＯ  ＭＵＸ  ＡＤＤＲＥＳＳ信号Ｓ２はビデオ表示ジェネレータ１００の内部にあるＬＵＴ１０６から対応するｎビットデジタルビデオ信号ＤＳ１、ＤＳ２又はＤＳ３を検索することをＬＵＴデータバスｍｕｘ２０に通知する。ＶＩＤＥＯ  ＭＵＸ  ＡＤＤＲＥＳＳ信号Ｓ２により搬送されるビデオチャネルアドレスは、対応するビデオチャネルに関わる試験サイクルが完了するまで変化しないままであり、完了した時点で、次のビデオチャネルを試験すべくＤＶＴ回路１１０を準備するために、アドレスを増分する。上記のｐビット信号とｎビット信号のビットサイズはダイナミックビデオテスト回路のユーザによって確定されても良い。
選択されたビデオチャネルについての試験は、二重画素検出回路２２によって安定したビデオ信号が検出されるまで始まらない。この回路は、システムコントローラ１３０により発生されるＰＩＸＥＬ  ＣＬＯＣＫ信号Ｓ４の連続する２つのサイクルについて等しいデータ値を求めて、ＬＵＴデータバスｍｕｘ２０により選択されるｎビットデジタルビデオ信号を監視する。二重画素検出回路２２のラッチ２２Ａ及び２２Ｂが同じｎビットデジタル信号を出力すると、デジタル比較器２４はＤＯＵＢＬＥ  ＰＩＸＥＬ信号Ｓ５を状態機械１０へ送信して、状態機械１０をその初期状態（状態０）から脱出させる。しかしながら、二重画素検出回路２２は２つの連続するデータ値のみの検出には限定されず、単に直列のラッチの数を増すことにより、ＰＩＸＥＬ  ＣＬＯＣＫ信号Ｓ４の任意の数のサイクルに対して等しいデータ値を探索するように回路を構成しても良い。たとえば、ラッチ２２Ｂの後に第３のラッチを追加した場合、デジタル信号中に３つの連続する等しいデータ値が現れたことを意味する「ＴＰＩＰＬＥ  ＰＩＸＥＬ」信号Ｓ５が発生したときに試験が始まるものと考えられる。
二重画素が発見され、ダイナミックビデオテストが始まると、二重画素検出回路２２により出力されたｎビットデジタル信号Ｓ６は、Ａ／Ｄ変換器１８のｐビット出力信号Ｓ７（変換ディジタル信号）と比較するための値の範囲（ウィンドゥ値）を検索するために使用される。パワーアップ時に、所定のウィンドゥ値のテーブルが外部ランダムアスセスメモリ（ＲＡＭ）２６にロードされている（あるいは、プログラマブル読取り専用メモリ（ＰＲＯＭ）にハードコード化される）。ｎビットデジタル信号Ｓ６と、ＢＬＡＮＫ信号Ｓ９（システムコントローラ１２により発生される）と、（同様にシステムコントローラ１３０）からのＳＹＮＣ信号Ｓ１０とはＲＡＭ２６を連続してアドレス指定するが、ＲＡＭ２６が状態機械１０からＬＡＴＣＨ  ＭＩＮ／ＭＡＸ信号Ｓ８を受信するまで、テーブルから適切なウィンドゥ値は検索されない。この信号が現れると、最小ウィンドゥ値と最大ウィンドゥ値が比較器モジュール２８へ出力される。そこで、比較器モジュール２８はＡ／Ｄ変換器１８からの変換ディジタル信号Ｓ７が最小ウィンドゥ値と最大ウィンドゥ値との間に入るか否かを判定し、その結果を１つの状態ビットＳ１１として出力する。
ｗビットのＤ型状態レジスタ３０はビデオ出力チャネルごとの試験結果を記憶するが、このレジスタのビットサイズはユーザによって決定されても良い。状態レジスタ３０の各ビット３１は、特定のビデオ出力チャネルに関して、アナログビデオ信号の成分の１つの状態データを保持する。たとえば、本実施形態では、ビデオ表示ジェネレータ１００は３つの別個のチャネルＶ1、Ｖ2又はＶ3の各々について赤、青、緑のアナログビデオ信号ＡＳ１、ＡＳ２又はＡＳ３を供給することによりカラービデオ画像を生成するので、試験サイクルは３回必要である。赤と青のビデオチャネルが「アクティブビデオ」部分と、「ビデオブランク」部分とをそれぞれ含んでおり、緑のビデオチャネルは「アクティブビデオ」部分と、「ビデオブランク」部分と、「ビデオ同期」部分とを含んでいる場合、状態レジスタ３０は各チャネルの成分ごとに１つずつ、７つの状態ビット３１を保持しなければならない。
３回の試験サイクルの各々の中では、以下にさらに詳細に説明するように、状態機械１０が所定の状態に至ったときに、１つのビデオチャネルＶ1、Ｖ2又はＶ3の各成分を試験する。しかしながら、ビデオチャネルの特定の成分を試験する前に、ＳＴＡＴＵＳ  ＵＰＤＡＴＥ  ＣＬＯＣＫ信号Ｓ１２が状態更新ポインタ３２を増分する。このポインタは、試験すべき成分について状態レジスタビット３１のアドレスを追跡する小型カウンタである。状態更新ポインタ３２はこのアドレスをデマルチプレクサ（ｄｅｍｕｘ）３４に供給し、ｄｅｍｕｘ３４はこのアドレスを比較器モジュール２８からの対応する試験結果状態ビットＳ１１と組合わせることにより、ＳＴＡＴＵＳ信号Ｓ１３を発生する。次のＳＴＡＴＵＳ  ＵＰＤＡＴＥ  ＣＬＯＣＫ信号Ｓ１２の間に、状態レジスタ３０はＳＴＡＴＵＳ信号Ｓ１３を受信し、状態ビット３１の中に含まれている対応する状態ビットに関わる状態データを更新する。
状態レジスタ３０は状態データを保持し、状態読取り動作中にシステムコントローラ１３０がＲＥＡＤ信号Ｓ１４を送信するまで、ＳＴＡＴＵＳ  ＵＰＤＡＴＥ  ＣＬＯＣＫ信号Ｓ１２ごとに更新して行く。ＲＥＡＤ信号Ｓ１４が現れると、次のＰＩＸＥＬ  ＣＬＯＣＫ信号Ｓ４によって読取り同期モジュール３６は状態レジスタ３０へＲＥＡＤ  ＳＹＮＣ信号Ｓ１５を発生し、それにより、システムコントローラ１３０は状態レジスタ３０から記憶されている状態データを検索できる。同時に、読取り同期モジュール３６はＲＥＩＮＩＴ信号Ｓ１６を出力する。この信号は状態レジスタ３０をクリアすると共に、状態機械１０を初期状態に戻す。先の場合と同様に、状態機械１０は、ＤＯＵＢＬＥ  ＰＩＸＥＬ信号Ｓ５を受信し、ＰＩＸＥＬ  ＣＬＯＣＫ信号Ｓ４によりクロッキングされるまで、初期状態にとどまる。
図３Ａ及び図３Ｂは、図２に示すような本発明の好ましい実施形態の試験サイクル中の状態遷移を示す流れ図である。図３Ａのステップ２００では、システムパワーアップを行うか、あるいはＲＥＩＮＩＴ信号Ｓ１６がビデオｍｕｘ１４のアドレスを赤色ビデオチャネルのアドレスに初期設定し、ＬＵＴデータバスｍｕｘ２０のアドレスを赤色デジタルデータのアドレスに初期設定し、状態更新ポインタ３２を赤色「アクティブビデオ」部分に初期設定し且つ状態機械１０を状態ＳＴ−０（初期状態）にさせる（２０２）。状態機械１０はＤＯＵＢＬＥ  ＰＩＸＥＬ信号Ｓ５を待っているため、状態ＳＴ−０にとどまる（２０４）。
ＤＯＵＢＬＥ  ＰＩＸＥＬ信号Ｓ５を受信すると、状態機械１０は状態ＳＴ−１に入る（２０６）。状態ＳＴ−１では、ＣＯＮＶＥＲＴ  ＣＬＯＣＫ信号Ｓ３がＡ／Ｄ変換器１８へ送信され、Ａ／Ｄ変換器１８はビデオｍｕｘ１４により検索されるアナログビデオ信号のＡ／Ｄ変換を実行する。さらに、ＬＡＴＣＨ  ＭＩＸ／ＭＡＸ信号Ｓ８はＲＡＭ２６から対応する最小ウィンドゥ値と最大ウィンドゥ値を検索させる。次に、状態機械１０は状態ＳＴ−２に入る（２０８）。
状態ＳＴ−２では、次のＣＯＮＶＥＲＴ  ＣＬＯＣＫ信号Ｓ３によって、Ａ／Ｄ変換器１８は状態ＳＴ−１で得られた変換ディジタル信号Ｓ７を比較器モジュール２８へ出力する。次のＬＡＴＣＨ  ＭＩＮ／ＭＩＸ信号Ｓ８は再び最小ウィンドゥ値と最大ウィンドゥ値をラッチし、比較器モジュール２８は変換ディジタル信号Ｓ７をウィンドゥ値と比較する。
状態機械１０が状態ＳＴ−３に入ると（２１０）、ＳＴＡＴＵＳ  ＵＰＤＡＴＥ信号Ｓ１２は状態レジスタ３０に赤色「アクティブビデオ」ＳＴＡＴＵＳ信号Ｓ１３をラッチさせる。ＳＴＡＴＵＳ  ＵＰＤＡＴＥ信号Ｓ１２は赤色「ビデオブランク」成分を指示する状態ポインタ３２も更新する。次に、状態機械は状態ＳＴ−４に入り（２１２）、「ビデオブランク」信号を待つ（２１４）。
状態機械１０が状態ＳＴ−５に入ると（２１６）、赤色「ビデオブランク」信号をＡ／Ｄ変換し、状態ＳＴ−１で説明したように、適切な最小ウィンドゥ値と最大ウィンドゥ値をラッチする。状態ＳＴ−６に入ると（２１８）、状態ＳＴ−２で説明したように、Ａ／Ｄ変換器１８は変換ディジタル信号Ｓ７を出力し、最小ウィンドゥ値と最大ウィンドゥ値を再びラッチする。状態機械１０が状態ＳＴ−７に入ると（２２０）、赤色「ビデオブランク」ＳＴＡＴＵＳ信号Ｓ１３を状態レジスタ３０によりラッチし、状態ポインタ３２を青色ビデオチャネルの青色「アクティブビデオ」部分に更新する。現在ＶＩＤＥＯ  ＭＵＸ  ＡＤＤＲＥＳＳは緑色チャネルのアドレスではないので、チャネルには「ビデオ同期」信号は存在せず、ステップ２２２では「返答」は得られない。そこで、試験サイクルは終了し、青色ビデオチャネルのアナログビデオ信号を検索するために、ｍｕｘアドレスを更新する（２２４）。次に、状態機械１０は状態ＳＴ−０に入り（２０２）、次の試験サイクルを待つ。
青色の二重画素が現れると（２０４）、状態ＳＴ−１に入り（２０６）、先に赤色ビデオチャネルに関して説明したように、青色の「アクティブビデオ」信号と「ビデオブランク」信号を変換し、状態ＳＴ１〜ＳＴ７で試験する。ＶＩＤＥＯ  ＭＵＸ  ＡＤＤＲＥＳＳは緑色チャネルのアドレスではないので、ステップ２２２における「返答」は再び「ｎｏ」であり、試験サイクルは終了する。次に、ｍｕｘアドレスを緑色チャネルに更新し（２２４）、状態機械は再び状態ＳＴ−０に入る（２０２）。
緑色の二重画素が現れると（２０４）、先に赤色ビデオチャネルに関して説明したように、緑色の「アクティブビデオ」信号と「ビデオブランク」信号を変換し、状態ＳＴ１〜ＳＴ７で試験する。しかしながら、この時点ではＶＩＤＥＯ  ＭＵＸ  ＡＤＤＲＥＳＳは緑色チャネルのアドレスであるため、ステップ２２２における返答は「ｙｅｓ」であり、状態機械１０は状態ＳＴ−８に入り（２２６）、緑色（ビデオ同期）信号を待つ（２２８）。「ビデオ同期」信号を受信すると、機械状態１０は状態ＳＴ−９に入る（２３０）。状態ＳＴ−９では、緑色の「ビデオ同期」信号をＡ／Ｄ変換し、適切な最小ウィンドゥ値と最大ウィンドゥ値を検索する。状態機械１０が状態ＳＴ−１０に入ると（２３２）、Ａ／Ｄ変換器１８は変換アナログ信号Ｓ７を比較器モジュール２８へ出力し、再び最小ウィンドゥ値と最大ウィンドゥ値をラッチする。状態ＳＴ−１１に入ると（２３４）、状態レジスタ３０は緑色「ビデオ同期」ＳＴＡＴＵＳ信号Ｓ１３をラッチし、状態ポインタは再び赤色「アクティブビデオ」部分を指示するように更新され、ＶＩＤＥＯ  ＭＵＸ  ＡＤＤＲＥＳＳは赤色ビデオチャネルのアドレスに戻される。次に、再び初期状態に入り（２０２）、赤色ビデオチャネルについて試験シーケンスを再び開始できる。
特許法に従うと共に、この新規な原理を適用し且つこのような特殊化された構成要素を必要に応じて構成し、使用するために必要とされる情報を当業者に提供するために、ここでは本発明をかなり詳細に説明した。しかしながら、特定の点で異なる機器及び装置により本発明を実施できること、及び機器の詳細と動作手続きの双方に関して、本発明それ自体の範囲から逸脱せずにダイナミックビデオテストの様々な変形を実現できることを理解すべきである。
【図１】
0003867997.tif 000002
【図２】
0003867997.tif 000003
【図３Ａ】
0003867997.tif 000004
【図３Ｂ】
0003867997.tif 000005